(57)【要約】【課題】  電力バックアップ機能を有する局所用小型照明装置群を通信で結び局所の照明を通常時や災害時においても安定、かつ確実な照明ができる小型照明装置及びそのネットワークシステムを提供する。【解決手段】  小型照明装置１００は光源ユニット１を有する光源ブロック２と、点灯制御回路３と、通信制御回路４と、電源回路５と非常用電源６等からなり、色変わりする光源１０を通信によりコントロールする。小型照明装置１００を壁面等に低位置に設置し、案内灯や非常時の避難誘導灯等に利用する。【選択図】  図１
2007087609.tif 000002
【特許請求の範囲】
【請求項１】
限られた範囲の照明能力をもち、屋内外の床、壁、柱、天井などの照明を必要とする部位に固定又は着脱可能に設置される小型照明装置であって、該装置は、複数の光源ユニットを有する光源ブロックと、その点灯制御回路及び通信制御回路とを有し、これ等の前記ブロック及び回路には、電源回路及び／又は非常用電源回路が連結されることを特徴とする小型照明装置。
【請求項２】
前記光源ブロックには白色光及びそれ以外の発光色の光源があり、その色切換や点灯消灯が通信により制御されることを特徴とする請求項１に記載の小型照明装置。
【請求項３】
前記光源には発光状態を監視する光源監視回路が設けられ、通信により光源回路の正常化や安定化が監視されることを特徴とする請求項２に記載の小型照明装置。
【請求項４】
前記請求項１乃至３に記載の小型照明装置を所定の間隔で複数個設置し、これ等を通信回線で連結して局所灯（小型照明装置）ネットワークを形成し、これに制御装置を組み込み、各前記局所灯の配置や動作状態の表示やその点消灯や発光色の状況を手動設定又は外部入力による自動設定により行うことを特徴とする小型照明装置のネットワークシステム。
【発明の詳細な説明】
【技術分野】
【０００１】
本発明は、電力バックアップ機能を有した小型照明装置を通信で結んだ局所照明器群とそのネットワークシステムに関する。
【０００２】
都市機能が高度化されている今日、照明も単なる光源としてではなく目的を持ったシステムとして設置・運用する必要がある。特に複雑に通路が入り組んでいる地下街や大規模ビルにおいて警備のために照明を夜間点灯するには相当量の電力消費が見込まれる。そのため電力使用を押さえる目的で間引き点灯を行うと明るさにむらができ死角が発生する。また、工事現場等では危険箇所の表示や誘導には照明が必要である。また、災害時にも避難誘導のための照明灯が必要である。また、地震等において建物が倒壊した場合でも電力供給が引き続き行われれば、生存者に安心感を与えることになる。
以上のように、各所のトラブルが生じ易い場所でトラブルが生じた場合に常に照明灯として機能しうる照明装置が必要であるが、簡便で確実なものは従来では存在していなかった。なお、以上の要請に応える一例として「特許文献１」が挙げられるが、本発明とは構成等においても相異するものである。
【特許文献１】特開２００５−３２１１５（図１等）
【発明の開示】
【発明が解決しようとする課題】
【０００３】
足下の視界を確保する程度の弱い光を一定間隔に配置することで通路等を全体的に薄明るく照らし出すことができれば強い光による幻惑や明るさ不足による死角の発生を防ぐことができる。また、追跡等で暗い屋外に飛び出したとしても輝度が低いために目の光彩が開ききらず目標の喪失を防ぐことができる。
【０００４】
また、状況が常に変化する工事現場等では照明用と共に危険箇所表示が誘導用として使用され、特に夜間工事や地下或いは建物内といった暗い場所での工事では強力な投光器により工事箇所全体を照らし出すことができ、通路に対しては上方から一定の間隔で吊られた電球により視界を確保され、特に危険な場所は赤色に発光する小型電球を紐状に並べた発光帯を使用しているが、道路の両端に配置することで足下を荷物や人影に妨害されることなく照らし出し、危険箇所については白色と同時に赤色光を点灯することで表示し、傾斜通路に対し平行通路を緑色発光させる等の誘導や表示も行うことができればきわめて安全であり便利である。
【０００５】
また、災害時にも避難誘導や避難時の視界確保が必要である。従来の非常灯や避難表示灯は天井付近に取り付けられているが、火災の場合床より１メートル以上の場所では黒煙が立ちこめその殆どが目視はおろかその光すら確認できない。しかし、基本的に床及び床付近の側壁に取り付け避難空間である床上約１メートルの位置では視界確保が可能となる。外部からの制御により、例えば、横に並べられている光源のうち右端を赤色に、左端を緑色に発光させて左側に誘導することができる。或いは個別に点消灯するタイミングをずらすことで光点を走らせ避難方向を知ることができ、これを通信機能により状況に応じ変更することができ、通信機能が麻痺した場合、その状態を保持するかあらかじめ設定された動作を行うことができ、更に電力供給が絶たれても一定時間独自で動作可能となればきわめて便利である。
【０００６】
地震等により建物が倒壊した場合でも生存可能空間が多く発生する壁面に設置されていれば、生存者の脱出や救助に役立つ。また、生存者は電力供給が絶たれても一定時間動作することにより周囲の状況を確認、脱出可能な場所を探すことができ、救助隊は専用のコントローラで順次個別点滅を行いそれにより生存者の大まかな位置を特定することができる。
【０００７】
本発明は、以上の要請に鑑みて発明されたものであり、小型照明灯を災害時でも確認できる位置に多数個配置し、照明色を変化させ、通常時は勿論、災害時においても位置の確認や避難経路がわかり、外部の電力供給が絶たれても各個に電力の自給が行われる簡便構造で設置が容易にできる小型照明装置とそのネットワークシステムを提供することを目的とする。
【課題を解決するための手段】
【０００８】
本発明は、以上の目的を達成するために、請求項１の発明は、限られた範囲の照明能力（局所灯）をもち、屋内外の床、壁、柱、天井等の照明を必要とする部位に固定又は着脱可能に設置される小型照明装置であって、該装置は、複数の光源ユニットを有する光源ブロックと、その点灯制御回路及び通信制御回路とを有し、これ等の前記ブロック及び回路には、電源回路及び／又は非常用電源回路が連結されることを特徴とする。
【０００９】
また、請求項２の発明は、前記光源ブロックには白色光及びそれ以外の発行所区の光源があり、その色切換や点消灯が通信により制御されることを特徴とする。
【００１０】
また、請求項３の発明は、前記光源には発光状態を監視する光源監視回路が設けられ、通信により光源回路の正常化や安定化が監視されることを特徴とする。
【００１１】
また、請求項４の発明は、前記請求項１乃至３に記載の小型照明装置を所定の間隔で複数個配置し、これ等を通信回線で連結して局所灯ネットワークを形成し、これに制御装置を組み込み、各前記局所灯の配置や動作状態の表示やその点消灯や発光色の状況を手動設定又は外部入力による自動設定により行うことを特徴とする。
【発明の効果】
【００１２】
本発明の請求項１の小型照明装置によれば、局所灯としての照明灯の照明を必要とする場所に簡単に設置でき、これに常時電力を供給することができるため災害時や通常時における誘導手段として便利に利用することができ、安全性の向上が図れる。
【００１３】
また、本発明の請求項２の小型照明装置によれば、光源ブロックの照明色が白色及びそれ以外の発光色からなり、切換や点消灯が通信により可能であり、目的に対応した照明を迅速に行うことができる。
【００１４】
また、本発明の請求項３の小型照明装置によれば、光源に監視回路が設置され、この動作が通信により行われるため、光源の安定管理が遠隔場所から確実に行われる。
【００１５】
また、本発明の請求項４の小型照明装置のネットワークシステムによれば、通信手段によりすべての局所灯の管理、表示が可能となり、全体管理が確実に行われる。
【発明を実施するための最良の形態】
【００１６】
以下、本発明の小型照明装置とそのネットワークシステムの実施の形態を図面を参照して詳述する。
図１は本発明の小型照明承知１００の全体構成を示すブロック図である。
小型照明装置１００は、大別して数個（本実施例では５個）の光源ユニット１を有する光源ブロック２と、点灯制御回路３と、通信制御回路４と、電源回路５及び非常用電源６等からなる。
【００１７】
光源ブロック２には、光源ユニット１を固定した金属ブロックであり、広範囲に光を放出し得るように放射状に光源ユニット１を固定すると同時に光源ユニット１の熱を外部に放出する機能を有する。また、光源ユニット１はＬＥＤ等の光源１０を最大３個まで取り付けることができ、光センサ１１により各光源１０の発光状態を確認できるように構成されている。
【００１８】
点灯制御回路３は点灯ゲート回路３０と、点灯ドライブ回路３１と、点灯エラー検出回路３２とからなり、通信制御回路４からのコマンドにより各光源ユニット１の光源１０に対し個別に点灯と消灯の制御を行うと同時に各光源ユニット１の光センサ１１からの信号により該当光源１の点灯・消灯の確認を行う。
【００１９】
通信制御回路４は、通信バッファ４０と、データ解析回路４１と、コマンド解析回路４２からなり、制御装置からシリアルに送られるデータを送受信バッファ４０で受け取り、パラレル化したデータを解析回路４１でアドレスとデータ及び制御信号に分解し、アドレスの値とあらかじめ各局所灯に割り当てられている固有の数値とを比較し、合致した場合データを更新し制御信号を有効とする。更新されているデータはコマンド解析回路４２に入力され、コマンドとして点灯制御回路３に入力される。制御信号で検出モードに設定された場合、各光源ユニット１からの点灯状態の信号や電源回路５からの電源状態信号を送受信バッファ４０に入力し、受信終了後の定められたタイミングで制御装置に送信する。
【００２０】
電源回路５は、外部接続用コネクタ５０と、電源フィルタ回路５１と、電圧安定化回路５２と、電源監視回路５３等とからなる。外部接続用コネクタ５０は３組あり、これにより電源及び通信ラインの渡りと分岐を可能にしている。この外部接続用コネクタ５０から電源は、電源フィルタ５１により動作に有害なノイズを取り去り、電圧安定化回路５２に入力され、これにより各部に電源が供給される。この際、電源監視回路５３が異常を検出した場合停電と判断し、電圧安定化回路５２の動作を停止し、電源の供給を非常用電源６からのものに切り替える。
【００２１】
非常用電源６は、充放電監視回路６０と二次電池６１からなる。電池フィルタ５１から供給される電力で、充放電監視回路６０を動作させ、通電中は常時二次電池６１を充電しておき電源監視回路５３からの停電信号により各部への電源供給を行う。
【００２２】
図２は、本発明の小型照明装置１００の使用時における設置形態の一例と照明状況を示す斜視図である。小型照明装置１００は床面12から立設する壁面13に床面12から約３０センチメートル程度の位置に複数個（図示では２個）配設されている。隣接する小型照明装置１００はローカル電源７から電力供給を受けると共に配線ダクト８により連結される。この配線ダクト８は他のユニットや制御部と連結する。
以上のような小型照明装置１００の配列により小型照明装置１００から照明が行われ、床面12を広範囲に照明することができる。
【産業上の利用可能性】
【００２３】
本発明の小型照明装置１００は建物の照明を必要とする部位に使用されることは勿論であるが、建物外の色々な建築物や公共施設や誘導灯のすべて等に適用され、その利用範囲はきわめて広い。また、小型のため、狭隘な場所にも設置でき、その設置も容易にできる効果がある。
【図面の簡単な説明】
【００２４】
【図１】本発明の小型照明装置のネットワークシステムの構成を示すブロック図。
【図２】本発明の小型照明装置の設置例の１つを示す斜視図。
【符号の説明】
【００２５】
１      光源ユニット
２      光源ブロック
３      点灯制御回路
４      通信制御回路
５      電源回路
６      非常用電源
７      ローカル電源
8       配線ダクト
１０    光源
１１    光センサ
１２    床面
１３    壁面
３０    点灯ゲート回路
３１    点灯ドライブ回路
３２    点灯エラー検出回路
４０    通信バッファ
４１    データ解析回路
４２    コマンド解析回路
５０    外部接続用コネクタ
５１    電源フィルタ回路
５２    電圧安定化回路
５３    電源監視回路
６０    充放電監視回路
６１    二次電池
１００  小型照明装置
【図１】
2007087609.tif 000003
【図２】
2007087609.tif 000004